(57)【要約】【課題】画像形成装置の状態とガンマ変換処理に用いるガンマカーブとの不一致による画像品質の低下を防ぐ。【解決手段】プリントコントローラ２から転送された画像データにガンマカーブに基づいてガンマ変換処理を行い、ガンマ変換処理された画像データを画像メモリ１３に格納し、画像メモリ１３に格納された画像データに基づいて画像形成を行う画像形成装置１において、エラーが発生しジョブが中断している間にガンマカーブの補正を実行するための条件が成立した場合、エラー解除後にガンマカーブの補正を実行し、その後、画像メモリ１３に格納されている画像データを消去し、再度、プリントコントローラ２から画像データを転送させる。【選択図】図２
2008201028.tif 000002
【特許請求の範囲】
【請求項１】
プリントコントローラから転送された画像データにガンマカーブに基づいてガンマ変換処理を行い、当該ガンマ変換処理された画像データを画像メモリに格納し、当該画像メモリに格納された画像データに基づいて画像形成を行う画像形成装置において、
前記ガンマカーブの補正を実行する補正手段と、
予め定められた条件に基づいて、前記ガンマカーブの補正を実行するための条件が成立するか否かを判断する判断手段と、
エラーが発生しジョブが中断している間に前記ガンマカーブの補正を実行するための条件が成立した場合、エラー解除後に前記補正手段に前記ガンマカーブの補正を実行させ、その後、前記画像メモリに格納されている画像データを消去し、再度、前記プリントコントローラから画像データを転送させる制御手段と、
を備えたことを特徴とする画像形成装置。
【請求項２】
プリントコントローラから転送された画像データにガンマカーブに基づいてガンマ変換処理を行い、当該ガンマ変換処理された画像データを画像メモリに格納し、当該画像メモリに格納された画像データに基づいて画像形成を行う画像形成装置において、
ユーザから前記ガンマカーブの補正の実行指示を受け付ける受付手段と、
前記受付手段により前記ガンマカーブの補正の実行指示を受け付けた場合に、前記ガンマカーブの補正を実行する補正手段と、
前記補正手段により前記ガンマカーブの補正が実行された場合に、前記画像メモリに格納されている画像データを消去し、再度、前記プリントコントローラから画像データを転送させる制御手段と、
を備えたことを特徴とする画像形成装置。
【請求項３】
プリントコントローラから転送された画像データにガンマカーブに基づいてガンマ変換処理を行い、当該ガンマ変換処理された画像データを画像メモリに格納し、当該画像メモリに格納された画像データに基づいて画像形成手段に画像形成を行わせるコンピュータに、
前記ガンマカーブの補正を実行する補正機能と、
予め定められた条件に基づいて、前記ガンマカーブの補正を実行するための条件が成立するか否かを判断する判断機能と、
エラーが発生しジョブが中断している間に前記ガンマカーブの補正を実行するための条件が成立した場合、エラー解除後に前記ガンマカーブの補正を実行させ、その後、前記画像メモリに格納されている画像データを消去し、再度、前記プリントコントローラから画像データを転送させる制御機能と、
を実現させるためのプログラム。
【請求項４】
プリントコントローラから転送された画像データにガンマカーブに基づいてガンマ変換処理を行い、当該ガンマ変換処理された画像データを画像メモリに格納し、当該画像メモリに格納された画像データに基づいて画像形成手段に画像形成を行わせるコンピュータに、
ユーザから前記ガンマカーブの補正の実行指示を受け付ける受付機能と、
前記ガンマカーブの補正の実行指示を受け付けた場合に、前記ガンマカーブの補正を実行する補正機能と、
前記ガンマカーブの補正が実行された場合に、前記画像メモリに格納されている画像データを消去し、再度、前記プリントコントローラから画像データを転送させる制御機能と、
を実現させるためのプログラム。
【発明の詳細な説明】
【技術分野】
【０００１】
本発明は、プリントコントローラを介して受信した画像データを出力する画像形成装置及びプログラムに関する。
【背景技術】
【０００２】
一般に、プリンタ出力機能を有する画像形成装置では、プリントコントローラから受信した画像データを各装置の出力階調特性に合わせるために、ガンマ変換処理を行っている。画像形成装置の状態はその時々で変化するので、階調性を一定に保ち、画質を安定化させるためには、画像形成装置の状態に応じて、ガンマ変換処理に用いるガンマカーブを補正する必要がある。
【０００３】
例えば、電源投入後、最初にプリンタジョブを受信した際に、プリンタ用のガンマ補正テーブルを補正する複合複写装置が提案されている（例えば、特許文献１参照）。この複合複写装置は、電源投入時に必ずガンマ補正テーブルの補正を行うものとは異なり、実際にプリンタとして使用されない場合にまで補正を行うことを防ぐものである。
【特許文献１】特開２００４−１８１６７０号公報
【発明の開示】
【発明が解決しようとする課題】
【０００４】
ところで、プリントコントローラから画像データを受信する際にガンマ変換処理を行い、ガンマ変換処理された画像データを画像メモリに格納し、画像メモリに格納された画像データに基づいて画像形成を行う画像形成装置では、現在の装置の状態と、画像メモリ内の既にガンマ変換処理が行われた画像データとの間で不一致が生じる場合があり、画像品質が低下するという問題があった。
【０００５】
例えば、用紙切れやジャム（紙づまり）等のエラー状態で長時間放置された場合に、エラー状態から復帰した後、ガンマカーブが補正されると、ガンマカーブの補正前に画像メモリに格納されたページについては、補正前のガンマカーブに基づいてガンマ変換処理が行われているため、現在の装置の状態と合わない画像が出力されるおそれがあった。
【０００６】
また、ユーザの指示により強制的にガンマカーブの補正を行った場合にも、ガンマカーブの補正前に画像メモリに格納されたページについては、現在の装置の状態と合わない画像が出力されるおそれがあった。
【０００７】
本発明は、上記の従来技術における問題に鑑みてなされたものであって、画像形成装置の状態とガンマ変換処理に用いるガンマカーブとの不一致による画像品質の低下を防ぐことを課題とする。
【課題を解決するための手段】
【０００８】
上記課題を解決するために、請求項１に記載の発明は、プリントコントローラから転送された画像データにガンマカーブに基づいてガンマ変換処理を行い、当該ガンマ変換処理された画像データを画像メモリに格納し、当該画像メモリに格納された画像データに基づいて画像形成を行う画像形成装置において、前記ガンマカーブの補正を実行する補正手段と、予め定められた条件に基づいて、前記ガンマカーブの補正を実行するための条件が成立するか否かを判断する判断手段と、エラーが発生しジョブが中断している間に前記ガンマカーブの補正を実行するための条件が成立した場合、エラー解除後に前記補正手段に前記ガンマカーブの補正を実行させ、その後、前記画像メモリに格納されている画像データを消去し、再度、前記プリントコントローラから画像データを転送させる制御手段と、を備えたことを特徴とする。
【０００９】
請求項２に記載の発明は、プリントコントローラから転送された画像データにガンマカーブに基づいてガンマ変換処理を行い、当該ガンマ変換処理された画像データを画像メモリに格納し、当該画像メモリに格納された画像データに基づいて画像形成を行う画像形成装置において、ユーザから前記ガンマカーブの補正の実行指示を受け付ける受付手段と、前記受付手段により前記ガンマカーブの補正の実行指示を受け付けた場合に、前記ガンマカーブの補正を実行する補正手段と、前記補正手段により前記ガンマカーブの補正が実行された場合に、前記画像メモリに格納されている画像データを消去し、再度、前記プリントコントローラから画像データを転送させる制御手段と、を備えたことを特徴とする。
【００１０】
請求項３に記載の発明は、プリントコントローラから転送された画像データにガンマカーブに基づいてガンマ変換処理を行い、当該ガンマ変換処理された画像データを画像メモリに格納し、当該画像メモリに格納された画像データに基づいて画像形成手段に画像形成を行わせるコンピュータに、前記ガンマカーブの補正を実行する補正機能と、予め定められた条件に基づいて、前記ガンマカーブの補正を実行するための条件が成立するか否かを判断する判断機能と、エラーが発生しジョブが中断している間に前記ガンマカーブの補正を実行するための条件が成立した場合、エラー解除後に前記ガンマカーブの補正を実行させ、その後、前記画像メモリに格納されている画像データを消去し、再度、前記プリントコントローラから画像データを転送させる制御機能と、を実現させるためのプログラムである。
【００１１】
請求項４に記載の発明は、プリントコントローラから転送された画像データにガンマカーブに基づいてガンマ変換処理を行い、当該ガンマ変換処理された画像データを画像メモリに格納し、当該画像メモリに格納された画像データに基づいて画像形成手段に画像形成を行わせるコンピュータに、ユーザから前記ガンマカーブの補正の実行指示を受け付ける受付機能と、前記ガンマカーブの補正の実行指示を受け付けた場合に、前記ガンマカーブの補正を実行する補正機能と、前記ガンマカーブの補正が実行された場合に、前記画像メモリに格納されている画像データを消去し、再度、前記プリントコントローラから画像データを転送させる制御機能と、を実現させるためのプログラムである。
【発明の効果】
【００１２】
請求項１、３に記載の発明によれば、エラー解除後に、ガンマカーブの補正が実行される前にガンマ変換処理が行われた画像データについては転送し直すので、画像形成装置の状態とガンマ変換処理に用いるガンマカーブとの不一致による画像品質の低下を防ぐことができる。
【００１３】
請求項２、４に記載の発明によれば、ユーザの指示によりガンマカーブの補正が実行される前にガンマ変換処理が行われた画像データについては転送し直すので、画像形成装置の状態とガンマ変換処理に用いるガンマカーブとの不一致による画像品質の低下を防ぐことができる。
【発明を実施するための最良の形態】
【００１４】
［第１の実施の形態］
まず、本発明の第１の実施の形態を詳細に説明する。
図１に、第１の実施の形態における画像形成システム１００のシステム構成を示す。
図１に示すように、画像形成システム１００は、画像形成装置１、プリントコントローラ２、ＰＣ（Personal Computer）３を備えて構成され、画像形成装置１とプリントコントローラ２、プリントコントローラ２とＰＣ３は、それぞれデータの送受信が可能に接続されている。ユーザの操作に基づいてＰＣ３から印刷指示及び当該印刷指示の対象となる画像データが送信され、プリントコントローラ２により画像形成装置１へ転送され、画像形成装置１により画像データに基づいた画像形成が行われる。
【００１５】
図２に、画像形成装置１の構成を示す。
図２に示すように、画像形成装置１は、ガンマ変換処理部１１、圧縮回路１２、画像メモリ１３、伸張回路１４、ＬＤ（Laser Diode）駆動回路１５、ＬＤ１６、ドラム１７、転写ベルト１８、光学式センサ１９、ＣＰＵ（Central Processing Unit）２０、表示／操作部２１、メカ駆動部２２、ワークメモリ２３等を備える。
【００１６】
ガンマ変換処理部１１は、プリントコントローラ２から転送された画像データに対し、ガンマ補正テーブル１１ａに基づいてガンマ変換処理を行う。ガンマ補正テーブル１１ａには、ガンマ変換処理に用いるガンマカーブ（階調補正カーブ）を示すデータが格納されている。すなわち、本実施の形態において、ガンマカーブに基づくガンマ変換処理とは、ガンマ補正テーブル１１ａに基づくガンマ変換処理を意味し、ガンマカーブの補正（以下、ガンマカーブ補正という。）とは、ガンマ補正テーブル１１ａの補正を意味する。
【００１７】
圧縮回路１２は、ガンマ変換処理後の画像データに圧縮処理を施す。
【００１８】
画像メモリ１３は、ＤＲＡＭ（Dynamic RAM）やＨＤＤ（Hard Disk Drive）から構成され、ガンマ変換処理及び圧縮処理後の画像データを格納する。
【００１９】
伸張回路１４は、画像メモリ１３に格納されている画像データに対し、伸張処理を施す。
【００２０】
ＬＤ駆動回路１５は、伸張回路１４により伸張処理が施された画像データに基づいて、ＬＤ１６を駆動する。
【００２１】
ＬＤ１６は、画像データに基づいてレーザビームを発し、帯電されたドラム１７上に静電潜像を形成する。そして、ドラム１７に形成された静電潜像上にトナーが付着され、トナー像が形成される。ドラム１７上に形成されたトナー像は、転写ベルト１８に転写され、さらに、用紙等の記録媒体に転写される。そして、図示しない定着装置で加熱・加圧されることにより、トナー像は記録媒体に定着される。
【００２２】
光学式センサ１９は、転写ベルト１８に対向して設けられ、ガンマカーブ補正を行う際に、転写ベルト１８上に形成されるテストパターンのトナー付着量を検出し、ＣＰＵ２０に出力する。テストパターンとして、濃度を少しずつ変えた階段状のパターンが用いられる。
【００２３】
ＣＰＵ２０は、図示しないＲＯＭ（Read Only Memory）に格納されている各種処理プログラムを読み出して、当該プログラムとの協働により画像形成装置１の各部の処理動作を統括的に制御する。
【００２４】
ＣＰＵ２０は、図示しない通信インターフェイスを制御し、プリントコントローラ２との間でデータの送受信を行う。ＣＰＵ２０は、プリントコントローラ２から送信される印刷指示及び画像データを受信する。
【００２５】
ＣＰＵ２０は、予め定められた条件に基づいて、ガンマカーブ補正を実行するための条件（以下、ガンマカーブ補正の実行条件という。）が成立するか否かを判断する。判断条件として、例えば、所定時間毎、所定枚数毎、電源投入時等の条件が予め設定されている。
【００２６】
ＣＰＵ２０は、ガンマカーブ補正の実行条件が成立すると判断した場合に、ガンマカーブ補正を実行する。具体的には、ＣＰＵ２０は、テストパターン用の画像データに基づいてＬＤ駆動回路１５を制御してＬＤ１６を駆動させ、ドラム１７上にテストパターンを形成させ、ドラム１７から転写ベルト１８上に転写させる。そして、ＣＰＵ２０は、転写ベルト１８上のテストパターンから光学式センサ１９により検出されたトナー付着量に基づいて、階調特性が適正になるようにガンマ補正テーブル１１ａを書き換える。
【００２７】
ＣＰＵ２０は、用紙切れやジャム等のエラーが発生した場合に、プリントコントローラ２にジョブ受付不可情報を送信することにより、プリントコントローラ２からの画像データの転送を禁止する。そして、ＣＰＵ２０は、エラーが発生しジョブが中断している間に、ガンマカーブ補正の実行条件が成立した場合、エラー解除後にガンマカーブ補正を実行する。ジョブとは、画像形成装置１における画像形成に関する一連の動作を示す単位である。例えば、複数枚を出力する場合には、複数枚の出力に関する一連の動作が１ジョブであり、複数部数を出力する場合には、複数部数分の出力に関する一連の動作が１ジョブである。
【００２８】
また、ＣＰＵ２０は、ガンマカーブ補正の実行後、画像メモリ１３に格納されている画像データを消去し、再度、プリントコントローラ２から画像データを転送させる。具体的には、ＣＰＵ２０は、プリントコントローラ２に画像データの再送を要求するとともに、ジョブ受付許可情報を送信して、プリントコントローラ２からの画像データの転送を許可する。
【００２９】
表示／操作部２１は、ＬＣＤ（Liquid Crystal Display）、ＬＣＤ上を覆うように設けられたタッチパネル、各種機能ボタンから構成され、ＣＰＵ２０からの指示に従って、各種操作画面や各種処理結果等を表示する。また、表示／操作部２１は、タッチパネル又は各種機能ボタンにより操作された操作信号をＣＰＵ２０に出力する。
【００３０】
メカ駆動部２２は、ＣＰＵ２０の指示に従って、画像形成装置１の各部を駆動する。
【００３１】
ワークメモリ２３は、ＣＰＵ２０により実行される各種処理において、ＲＯＭから読み出されたプログラムや、各種データ及びパラメータ等を一時的に記憶するメモリである。
【００３２】
プリントコントローラ２は、制御部、画像メモリ等を備え、ＰＣ３から送信された印刷指示及び画像データを受信し、画像形成装置１に転送する。
【００３３】
ＰＣ３は、ユーザの操作指示に基づいて、プリントコントローラ２に印刷指示及び画像データを送信する。
【００３４】
次に、動作を説明する。
図３は、第１の実施の形態におけるエラー発生時処理を示すラダーチャートである。ここでは、ジャムが発生した場合を例にして説明する。
【００３５】
まず、プリントコントローラ２から画像形成装置１に印刷指示Ｐ１が送信されると（ステップＡ１）、画像形成装置１では、画像形成動作が開始される（ステップＡ２）。具体的には、画像形成装置１からプリントコントローラ２に印刷指示Ｐ１に対応する画像データＱ１が要求され（ステップＡ３）、それに応じてプリントコントローラ２から画像形成装置１に画像データＱ１が転送される（ステップＡ４）。画像形成装置１では、ガンマ変換処理部１１により、受信した画像データＱ１に対し、ガンマ補正テーブル１１ａに基づいてガンマ変換処理が行われる。そして、圧縮回路１２により、ガンマ変換処理後の画像データに圧縮処理が施され、画像メモリ１３に格納される。画像メモリ１３に格納された画像データは、伸張回路１４により伸張処理が施され、ＬＤ駆動回路１５により、伸張処理が施された画像データに基づいてＬＤ１６が駆動され、画像形成が行われる。
【００３６】
同様に、プリントコントローラ２から画像形成装置１に印刷指示Ｐ２が送信されると（ステップＡ５）、画像形成装置１からプリントコントローラ２に印刷指示Ｐ２に対応する画像データＱ２が要求され（ステップＡ６）、それに応じてプリントコントローラ２から画像形成装置１に画像データＱ２が転送される（ステップＡ７）。画像データＱ２についても同様に、ガンマ変換処理部１１によりガンマ変換処理が行われ、圧縮回路１２により圧縮処理が施され、画像メモリ１３に格納される。
【００３７】
ここで、画像データＱ１の画像形成動作中に、ジャムが発生した場合には（ステップＡ８）、画像形成装置１からプリントコントローラ２にジョブ受付不可情報が送信される（ステップＡ９）。
【００３８】
ジョブが中断している間に、ガンマカーブ補正の実行条件が成立した場合には、ジャム解除後に（ステップＡ１０）、ＣＰＵ２０により、ガンマカーブ補正が実行され（ステップＡ１１）、ガンマ補正テーブル１１ａが書き換えられる（ステップＡ１２）。具体的には、ＣＰＵ２０がＬＤ駆動回路１５を制御することにより、テストパターン用の画像データに基づいてＬＤ１６が駆動され、ドラム１７上にテストパターンが形成され、ドラム１７から転写ベルト１８上に転写される。そして、光学式センサ１９により転写ベルト１８上のテストパターンから検出されたトナー付着量に基づいて、ＣＰＵ２０により、階調特性が適正になるようにガンマ補正テーブル１１ａが書き換えられる。そして、画像メモリ１３に格納されている画像データ（画像データＱ１、画像データＱ２）が消去される（ステップＡ１３）。
【００３９】
次に、画像形成装置１からプリントコントローラ２に、消去された画像データ（画像データＱ１、画像データＱ２）について再送要求が送信されるとともに（ステップＡ１４）、ジョブ受付許可情報が送信される（ステップＡ１５）。
【００４０】
プリントコントローラ２において、画像形成装置１からジョブ受付許可情報が受信されると、プリントコントローラ２から画像形成装置１に印刷指示Ｐ１が送信される（ステップＡ１６）。
【００４１】
画像形成装置１では、画像形成動作が開始される（ステップＡ１７）。具体的には、画像形成装置１からプリントコントローラ２に印刷指示Ｐ１に対応する画像データＱ１が要求され（ステップＡ１８）、それに応じてプリントコントローラ２から画像形成装置１に画像データＱ１が転送される（ステップＡ１９）。画像形成装置１では、再度転送された画像データＱ１に基づいて、画像形成が行われる。
【００４２】
同様に、プリントコントローラ２から画像形成装置１に印刷指示Ｐ２が送信されると（ステップＡ２０）、画像形成装置１からプリントコントローラ２に印刷指示Ｐ２に対応する画像データＱ２が要求され（ステップＡ２１）、それに応じてプリントコントローラ２から画像形成装置１に画像データＱ２が転送される（ステップＡ２２）。
【００４３】
次に、図４を参照して、画像形成装置１において実行されるエラー解除時処理を説明する。なお、図４のフローチャートに記述されている処理を実現するためのプログラムは図示しないＲＯＭに格納されており、ＣＰＵ２０は、ＲＯＭからプログラムを読み出して、当該プログラムに従った動作を逐次実行する。
【００４４】
まず、図４に示すように、画像形成装置１において、ＣＰＵ２０により、エラーが解除されたか否かが判断される（ステップＢ１）。エラーが解除された場合には（ステップＢ１；ＹＥＳ）、ＣＰＵ２０により、ガンマカーブ補正の実行条件が成立するか否かが判断される（ステップＢ２）。
【００４５】
ガンマカーブ補正の実行条件が成立する場合には（ステップＢ２；ＹＥＳ）、ＣＰＵ２０により、ガンマカーブ補正が実行され、ガンマ補正テーブル１１ａが書き換えられる（ステップＢ３）。そして、ＣＰＵ２０により、画像メモリ１３に格納されている画像データが消去され（ステップＢ４）、プリントコントローラ２に、消去された画像データについて再送要求が送信される（ステップＢ５）。
【００４６】
ステップＢ５の後、又は、ステップＢ２においてガンマカーブ補正の実行条件が成立しない場合には（ステップＢ２；ＮＯ）、ＣＰＵ２０により、プリントコントローラ２にジョブ受付許可情報が送信される（ステップＢ６）。
【００４７】
ステップＢ１においてエラーが解除されない場合には（ステップＢ１；ＮＯ）、そのまま処理が終了する。
【００４８】
以上説明したように、エラー解除後に、ガンマカーブ補正が実行される前にガンマ変換処理が行われた画像データについては転送し直すので、画像形成装置１の状態とガンマ変換処理に用いるガンマカーブとの不一致による画像品質の低下を防ぐことができる。
【００４９】
［第２の実施の形態］
次に、本発明を適用した第２の実施の形態について説明する。
第２の実施の形態における画像形成システムは、第１の実施の形態に示した画像形成システム１００と同様の構成によってなるため、同一の構成部分については同一の符号を付し、その構成については図示及び説明を省略する。以下、第２の実施の形態に特徴的な構成及び処理について説明する。
【００５０】
表示／操作部２１は、ユーザからガンマカーブ補正の実行指示を受け付ける受付手段である。図５に、表示／操作部２１に表示される補正項目選択画面２１１を示す。補正項目選択画面２１１において、ユーザがガンマカーブ自動補正ボタン２１２を選択し、ＯＫボタン２１３を選択することにより、ガンマカーブ補正の実行指示が受け付けられる。
【００５１】
画像形成装置１のＣＰＵ２０は、表示／操作部２１によりガンマカーブ補正の実行指示が受け付けられた場合に、プリントコントローラ２にジョブ受付不可情報を送信して、プリントコントローラ２からの画像データの転送を禁止するとともに、ガンマカーブ補正を実行する。
【００５２】
ＣＰＵ２０は、ガンマカーブ補正が実行された場合に、画像メモリ１３に格納されている画像データを消去し、再度、プリントコントローラ２から画像データを転送させる。具体的には、ＣＰＵ２０は、プリントコントローラ２に画像データの再送を要求するとともに、ジョブ受付許可情報を送信して、プリントコントローラ２からの画像データの転送を許可する。
【００５３】
次に、第２の実施の形態の動作を説明する。
図６は、第２の実施の形態におけるガンマカーブ補正手動実行処理を示すラダーチャートである。この処理は、画像形成装置１の画像メモリ１３に画像データが格納されている状態で実行される処理である。
【００５４】
まず、ユーザが画像形成装置１の表示／操作部２１を操作することによって、ガンマカーブ補正の実行が指示される。表示／操作部２１において、ガンマカーブ補正の実行指示が受け付けられると（ステップＣ１）、画像形成装置１からプリントコントローラ２にジョブ受付不可情報が送信される（ステップＣ２）。
【００５５】
次に、画像形成装置１では、ＣＰＵ２０により、ガンマカーブ補正が実行され（ステップＣ３）、ガンマ補正テーブル１１ａが書き換えられる（ステップＣ４）。具体的には、ＣＰＵ２０がＬＤ駆動回路１５を制御することにより、テストパターン用の画像データに基づいてＬＤ１６が駆動され、ドラム１７上にテストパターンが形成され、ドラム１７から転写ベルト１８上に転写される。そして、光学式センサ１９により転写ベルト１８上のテストパターンから検出されたトナー付着量に基づいて、ＣＰＵ２０により、階調特性が適正になるようにガンマ補正テーブル１１ａが書き換えられる。そして、ＣＰＵ２０により、画像メモリ１３に格納されている画像データが消去される（ステップＣ５）。
【００５６】
次に、画像形成装置１からプリントコントローラ２に、消去された画像データの再送要求が送信されるとともに（ステップＣ６）、ジョブ受付許可情報が送信される（ステップＣ７）。
【００５７】
プリントコントローラ２において、画像形成装置１から、消去された画像データの再送要求及びジョブ受付許可情報が受信されると、プリントコントローラ２から画像形成装置１に印刷指示が送信される（ステップＣ８）。
【００５８】
画像形成装置１では、画像形成動作が開始される（ステップＣ９）。具体的には、画像形成装置１からプリントコントローラ２に画像データが要求され（ステップＣ１０）、それに応じてプリントコントローラ２から画像形成装置１に画像データが転送される（ステップＣ１１）。画像形成装置１では、再度転送された画像データに基づいて、画像形成が行われる。
【００５９】
次に、図７を参照して、画像形成装置１において実行されるガンマカーブ補正手動実行処理を説明する。なお、図７のフローチャートに記述されている処理を実現するためのプログラムは図示しないＲＯＭに格納されており、ＣＰＵ２０は、ＲＯＭからプログラムを読み出して、当該プログラムに従った動作を逐次実行する。
【００６０】
まず、表示／操作部２１からガンマカーブ補正の実行指示があった場合には（ステップＤ１；ＹＥＳ）、ＣＰＵ２０により、プリントコントローラ２にジョブ受付不可情報が送信される（ステップＤ２）。
【００６１】
次に、ＣＰＵ２０により、ガンマカーブ補正が実行され、ガンマ補正テーブル１１ａが書き換えられる（ステップＤ３）。そして、ＣＰＵ２０により、画像メモリ１３に格納されている画像データが消去され（ステップＤ４）、プリントコントローラ２に、消去された画像データについて再送要求が送信されるとともに（ステップＤ５）、ジョブ受付許可情報が送信される（ステップＤ６）。
【００６２】
ステップＤ１において、ガンマカーブ補正の実行指示がない場合には（ステップＤ１；ＮＯ）、そのまま処理が終了する。
【００６３】
以上説明したように、ユーザの指示によりガンマカーブ補正が実行される前にガンマ変換処理が行われた画像データについては転送し直すので、画像形成装置１の状態とガンマ変換処理に用いるガンマカーブとの不一致による画像品質の低下を防ぐことができる。
【００６４】
なお、上記各実施の形態における記述は、本発明に係る画像形成装置の例であり、これに限定されるものではない。装置を構成する各部の細部構成及び細部動作に関しても本発明の趣旨を逸脱することのない範囲で適宜変更可能である。
【図面の簡単な説明】
【００６５】
【図１】本発明の第１の実施の形態における画像形成システム１００のシステム構成図である。
【図２】画像形成装置１の構成を示すブロック図である。
【図３】第１の実施の形態におけるエラー発生時処理を示すラダーチャートである。
【図４】画像形成装置１において実行されるエラー解除時処理を示すフローチャートである。
【図５】第２の実施の形態において表示／操作部２１に表示される補正項目選択画面２１１を示す図である。
【図６】第２の実施の形態におけるガンマカーブ補正手動実行処理を示すラダーチャートである。
【図７】画像形成装置１において実行されるガンマカーブ補正手動実行処理を示すフローチャートである。
【符号の説明】
【００６６】
１００  画像形成システム
１  画像形成装置
１１  ガンマ変換処理部
１１ａ  ガンマ補正テーブル
１２  圧縮回路
１３  画像メモリ
１４  伸張回路
１５  ＬＤ駆動回路
１６  ＬＤ
１７  ドラム
１８  転写ベルト
１９  光学式センサ
２０  ＣＰＵ
２１  表示／操作部
２１１  補正項目選択画面
２１２  ガンマカーブ自動補正ボタン
２１３  ＯＫボタン
２２  メカ駆動部
２３  ワークメモリ
２  プリントコントローラ
３  ＰＣ
【図１】
2008201028.tif 000003
【図２】
2008201028.tif 000004
【図３】
2008201028.tif 000005
【図４】
2008201028.tif 000006
【図５】
2008201028.tif 000007
【図６】
2008201028.tif 000008
【図７】
2008201028.tif 000009